(57)【特許請求の範囲】
【請求項１】
可動刃の往復駆動用の駆動手段を備え、該駆動手段で往復駆動されるとともに上記可動刃が連結される駆動子と、上記駆動手段が内部が配された本体との間に防水ゴムを配している往復式電気かみそりにおいて、防水ゴムに接触する緩衝材を配していることを特徴とする往復式電気かみそり。
【請求項２】
上記駆動手段は、往復動を行う駆動子と、この駆動子と逆位相の往復動を行う他の駆動子とを備え、上記防水ゴムは各駆動子に接して各駆動子の往復動に追従するものであり、上記緩衝材は防水ゴムにおける上記の追従する部分の間に配されて上記追従部分に接していることを特徴とする請求項１記載の往復式電気かみそり。
【請求項３】
上記緩衝材は本体に設けられた駆動子挿通用の開口部の長さよりも長くてその両端が開口部の縁に固定されていることを特徴とする請求項１または２記載の往復式電気かみそり。
【請求項４】
上記緩衝材はクッション材で形成されていることを特徴とする請求項１〜３のいずれか１項に記載の往復式電気かみそり。
【請求項５】
上記緩衝材は吸音材で形成されていることを特徴とする請求項１〜４のいずれか１項に記載の往復式電気かみそり。
【発明の詳細な説明】
【技術分野】
【０００１】
本発明は、防水型とされている往復式電気かみそりに関するものである。
【背景技術】
【０００２】
往復式電気かみそりにおいては、往復駆動用の駆動手段によって往復駆動される駆動子に可動刃を連結して、可動刃の往復駆動を行っているが、防水型とするにあたっては、駆動手段を納めた本体から開口部を通じて外部に突出させる駆動子と上記開口部との間に防水ゴムを配して、本体内への水の浸入を防いでいる。
【０００３】
ここにおいて、駆動手段による駆動子（可動刃）の往復動サイクルがさほど高くない時には問題とはならなかったが、駆動手段として振動型リニアモータを用いたものでは剃り味の向上等の関係で、往復動サイクルをきわめて高く（たとえば１００００サイクル／分以上）とすると、駆動子の往復動と共に撓む上記防水ゴムが振動板となって騒音を発するものとなる。
【０００４】
逆位相で往復駆動される複数の駆動子を備えたもので、単一の防水ゴムで防水を行っているものでは、複数の駆動子が相互に逆方向に動くために防水ゴムの相対移動量が大きくなることから、大きな振動音が発生することになる。
【０００５】
ここにおいて、特許文献１には往復駆動される駆動子が防水ゴムに当たって音が発生することを抑制することについての構成が示されているが、駆動子に当たることがないように形成されている防水ゴムがその動きによって騒音を発生してしまうことを防ぐことについては開示されていない。
【特許文献１】特許第１６０１９５８号公報
【発明の開示】
【発明が解決しようとする課題】
【０００６】
本発明は上記の従来の問題点に鑑みて発明したものであって、駆動子の往復動に伴って防水ゴムが騒音を発生させてしまうことを抑止することができる往復式電気かみそりを提供することを課題とするものである。
【課題を解決するための手段】
【０００７】
可動刃の往復駆動用の駆動手段を備え、該駆動手段で往復駆動されるとともに上記可動刃が連結される駆動子と、上記駆動手段が内部が配された本体との間に防水ゴムを配している往復式電気かみそりにおいて、防水ゴムに接触する緩衝材を配していることに特徴を有している。防水ゴムに接触している緩衝材が防水ゴムの振動を抑制するために、防水ゴムが原因となる騒音が大きく低減される。
【０００８】
上記駆動手段が、往復動を行う駆動子と、この駆動子と逆位相の往復動を行う他の駆動子とを備え、上記防水ゴムは各駆動子に接して各駆動子の往復動に追従するものであり、上記緩衝材は防水ゴムにおける上記の追従する部分の間に配されて上記追従部分に接していると、単一の緩衝材で防水ゴムの複数箇所の振動抑制を行うことができる。
【０００９】
緩衝材は本体に設けられた駆動子挿通用の開口部の長さよりも長くてその両端が開口部の縁に固定されていることが好ましい。緩衝材のずれを容易に防止することができる。
【００１０】
緩衝材はクッション材で形成されていると、防水ゴムに損傷を与えることがなくて好ましい。
【００１１】
また、緩衝材が吸音材で形成されていると、吸音性による騒音低減効果も得ることができる。
【発明の効果】
【００１２】
本発明は、防水のために配した防水ゴムが騒音の発生源となってしまうことを防止することができる。
【発明を実施するための最良の形態】
【００１３】
以下、本発明を添付図面に示す実施形態に基いて説明すると、図３は本発明に係る往復式電気かみそりの外観を示しており、電源部を内蔵する本体１の上端側にヘッド部２が装着されている。
【００１４】
このヘッド部２は図２に示すように、モータケース２０と、振動型リニアモータとして形成されて上記モータケース２０内に配設される駆動手段３と、該駆動手段３によって逆位相で往復駆動される２つの駆動子３１，３１と、モータケース２０の上面開口を閉じる刃取付台２１と、複数の固定刃２４，２５，２４が配された刃ユニット２３とから構成されるもので、上記駆動子３１，３１は刃取付台２１の中央に形成された開口部２９を通じて刃取付台２１の上方に突出する部分に、図１に示すところの可動刃２６，２７，２６が連結される。
【００１５】
また、上記開口部２９と駆動子３１，３１との間には、防水ゴム５が装着されている。押さえ板２２によって外周縁が開口部２９の開口縁に固定される上記防水ゴム５は、駆動子３１の外周に接する部分の周囲が夫々ベローズ状になっている屈曲部５０，５０を備えている。
【００１６】
そして上記両屈曲部５０，５０は、駆動子３１，３１が逆位相で往復動を行うに際してこれら駆動子３１、３１に夫々追従する動きを行うのであるが、逆位相で動くことになる２つの屈曲部５０，５０の間には、いわゆるスポンジで形成された吸音性を有するクッション材からなる緩衝材６が配されている。
【００１７】
駆動子３１，３１の往復動方向と同方向に長い棒状の緩衝材６は、その一方の側面が片側の屈曲部５０側面に接触し、他方の側面が他側の屈曲部５０の側面に接触するものであり、また、上面側は上記両屈曲部５０，５０間の部分に接触する。なお、該緩衝材６はその下面側が駆動子３１，３１の一部に接触するために、下方に抜け落ちてしまうことはない。
【００１８】
また、棒状の緩衝材５０の長手方向寸法は、同方向についての開口部２９の寸法よりも長くして、緩衝材５０の長手方向両端は図４に示すように開口部２９の縁に固定されてしまうようにしているために、長手方向に位置ずれを起こすこともない。
【００１９】
上記のような緩衝材６を配した往復式電気かみそりでは、駆動手段３である振動型リニアモータによって駆動子３１，３１を高サイクルで振動させる時、駆動子３１，３１に追従して動く防水ゴム５が騒音となる振動音を発生してしまうことを効果的に抑制する。殊に、図示例のものでは、単一の緩衝材６が逆位相で動く部分に夫々接触する上に、各部分への接触圧は均等になるために、尚更効果的に抑制することができる。また、柔らかくて柔軟であるクッション材で緩衝材６を形成しているために、防水ゴム５に損傷を与えるようなこともなく、また吸音性を持たせているために、吸音性による騒音の低減効果も得られるものとなっている。
【００２０】
なお、図示例では防水ゴム５における逆位相で動くことになる二つの屈曲部５０，５０の間に単一の緩衝材６を配しているが、各屈曲部５０，５０に対して個別の緩衝材６，６を接触させるようにしてもよい。もっとも、緩衝材６の組み付けの手間を考えれば、単一の緩衝材６が２つの屈曲部５０，５０に共に接触するようにしたものが好ましく、また、防水ゴム５における逆位相で動く２つの屈曲部５０，５０の間の部分は駆動子３１，３１の往復駆動に際して、最も動きが激しくなる部分となるために、この部分にも接触させることができる図示例の構成が最も好ましい。
【図面の簡単な説明】
【００２１】
【図１】本発明の実施の形態の一例の縦断面図である。
【図２】同上の分解斜視図である。
【図３】同上の全体構成を示す正面図である。
【図４】同上の横断面図である。
【符号の説明】
【００２２】
３  駆動手段
５  防水ゴム
６  緩衝材
３１  駆動子
【図１】
0004539515.tif 000002
【図２】
0004539515.tif 000003
【図３】
0004539515.tif 000004
【図４】
0004539515.tif 000005